(57)【要約】【課題】小型化、薄型化が図れるとともに利便性を向上させることができるルーバー装置および建具を提供すること。【解決手段】スラット１５の断面略中心（重心）位置に回動軸１６２が設けられているので、スラット１５を回動させる際の操作力が小さくなるとともに、端部部材やアタッチメント１７、連動部材１８、操作部などに作用する応力が小さくできる。従って、各部の部品寸法の拡大を防止することができ、雨戸の薄型化を図ることができる。さらに、全開状態であってもスラット１５が縦框１３の見込み寸法内に収まっているので、スラット１５が全開状態のままで雨戸を戸袋内に収納することができる。【選択図】図６
2009035893.tif 000002
【特許請求の範囲】
【請求項１】
互いに対向する一対の枠材間に回動自在に支持された複数のスラットと、これらのスラットを回動操作するための操作力を前記複数のスラットに伝達する伝達部とを有したルーバー装置であって、
前記枠材は、見込み方向に延びる見込み面と、この見込み面の室内側に連続して見付け方向内側に延びる室内側見付け面と、見込み面の室外側に連続しかつ前記室内側見付け面に対向して見付け方向内側に延びる室外側見付け面とを有し、見付け方向内方に開口した断面略コ字形に形成されるとともに、前記見込み面の内側に設けられる第１係合部と、前記室外側見付け面の先端に設けられる第２係合部と、これら第１および第２の係合部に係合されて当該枠材に取り付けられるアタッチメントとを備えて構成され、
前記アタッチメントには、前記室内側および室外側の見付け面先端間に渡って見込み方向に延びる外面部と、この外面部から見付け方向外側に延びる延出面部と、この延出面部の先端側に設けられて前記第１係合部に係合される第１被係合部と、前記外面部の室外側端部に設けられて前記第２係合部に係合される第２被係合部とを有して形成され、前記外面部には、前記複数のスラットの端部から前記枠材側に延びる回動軸を軸支する複数の軸支部が設けられ、
前記スラットの回動軸は、当該スラットの断面長手方向の略中央に設けられているルーバー装置。
【請求項２】
前記回動軸には、前記軸支部に軸支される位置よりも先端側がクランク状に折れ曲がって前記枠材の見込み面に向かって延びる偏心部が設けられ、
前記伝達部は、前記アタッチメントに沿って前記枠材の長手方向に移動自在に設けられた連動部材を有して構成され、この連動部材には、見込み方向に長く形成されて前記回動軸の偏心部を係止する複数の係止長孔が設けられ、
前記操作力を受けて前記連動部材が前記枠材の長手方向に沿って移動することで、前記係止長孔に係止された前記偏心部が前記枠材の長手方向かつ見込み方向に揺動し、前記軸支部位置の回動軸を中心に前記複数のスラットが連動して回動する請求項１に記載のルーバー装置。
【請求項３】
前記スラットは、中空かつ略楕円形の断面形状を有して形成され、全開状態で室外側に位置する断面一方の端部には、当該スラットの長手方向に連続する気密材が設けられ、この気密材は、全閉状態で下側に位置する他のスラットの断面他方の端部に当接可能に構成されている請求項１または請求項２に記載のルーバー装置。
【請求項４】
全開状態において前記スラットの室外側端部は、前記枠材の室外側見付け面と略同一見込み位置か、または当該室外側見付け面よりも室内側に位置するとともに、当該スラットの室内側端部は、前記枠材の室内側見付け面と略同一見込み位置か、または当該室内側見付け面よりも室外側に位置する請求項１から請求項３のいずれかに記載のルーバー装置。
【請求項５】
請求項１から請求項４のいずれかに記載のルーバー装置を組み込んだ面状体と、この面状体を左右スライド自在に支持する枠体とを備えた建具であって、
前記面状体は、上框、下框および左右の縦框を四周框組みして形成され、前記左右の縦框間に前記複数のスラットが回動自在に支持されるとともに、これらのスラットと上下に隣接して横材が架設され、この横材の室内側側面に前記スラットを回動操作するための操作部が設けられている建具。
【請求項６】
前記面状体は、雨戸であり、前記枠体には、前記面状体よりも室内側に障子が支持されるとともに、前記面状体を収納する戸袋が設けられている請求項５に記載の建具。
【発明の詳細な説明】
【技術分野】
【０００１】
本発明は、ルーバー装置および建具に関し、詳しくは、回動自在に支持された複数のスラットを有したルーバー装置、このルーバー装置を備えた建具に関する。
【背景技術】
【０００２】
従来、回動可能な複数のスラット（羽根）を有したルーバーを面材に組み込み、この面材を雨戸として利用する通風雨戸が知られている（例えば、特許文献１参照）。
特許文献１に記載された雨戸において各スラットは、その端部に端部部材が固定され、この端部部材から延びる回動軸回りに回動可能になっている。そして、端部部材の回動軸は、スラットが略水平となる全開状態で室内側端部かつスラットが略垂直となる全閉状態で上端部に位置する断面の一端部に設けられている。従って、全閉状態から全開状態に向かっては、スラットの他端部（つまり回動軸と反対側の端部）が下方から室外側の上方に円弧状の軌跡を描いて回動する、すなわち全開状態において、スラットの他端部が室外側に突出するようになっている。そして、回動軸には、スラットの他端部と反対側に突出して当該回動軸と偏心した接触子が設けられ、この接触子が連動バーのカム溝に挿入されている。従って、連動バーが上下移動することでカム溝に沿って接触子が案内され、この接触子の移動に伴って回動軸を支点としてスラットが回動するようになっている。
【０００３】
【特許文献１】特開２００５−１６０４７号公報
【発明の開示】
【発明が解決しようとする課題】
【０００４】
しかしながら、従来の雨戸におけるルーバーでは、スラットの一端側に回動軸が設けられ、さらにスラットの重心から離れる位置に接触子が設けられているため、スラットの回動操作の際に回動軸や接触子など端部部材に過大な応力が作用することとなる。さらに、全開状態においてスラットが室外側に突出した片持ち状に支持されるため、重力によって全閉状態に戻ろうとするモーメントが作用し、静止した状態においても端部部材および連動バーに応力が発生してしまう。以上の理由から端部部材や連動バーの部材断面を大きくしたり、補強を設けたりする必要が生じ、部材寸法が大型化して雨戸の見込み方向の厚さ寸法が拡大するという問題がある。
また、全開状態においてスラットが室外側に突出しているため、そのままの状態では雨戸を開けることができず、すなわちスラットが戸袋に衝突するため収納することができない。従って、雨戸を開ける際には、必ずスラットを全閉状態に操作する必要があり、利便性が損なわれるとともに、スラットを全閉状態にせずに雨戸を開けようとした場合には、スラットや連動バー等の部品を破損してしまう可能性がある。
【０００５】
本発明の目的は、小型化、薄型化が図れるとともに利便性を向上させることができるルーバー装置および建具を提供することにある。
【課題を解決するための手段】
【０００６】
本発明のルーバー装置は、互いに対向する一対の枠材間に回動自在に支持された複数のスラットと、これらのスラットを回動操作するための操作力を前記複数のスラットに伝達する伝達部とを有したルーバー装置であって、前記枠材は、見込み方向に延びる見込み面と、この見込み面の室内側に連続して見付け方向内側に延びる室内側見付け面と、見込み面の室外側に連続しかつ前記室内側見付け面に対向して見付け方向内側に延びる室外側見付け面とを有し、見付け方向内方に開口した断面略コ字形に形成されるとともに、前記見込み面の内側に設けられる第１係合部と、前記室外側見付け面の先端に設けられる第２係合部と、これら第１および第２の係合部に係合されて当該枠材に取り付けられるアタッチメントとを備えて構成され、前記アタッチメントには、前記室内側および室外側の見付け面先端間に渡って見込み方向に延びる外面部と、この外面部から見付け方向外側に延びる延出面部と、この延出面部の先端側に設けられて前記第１係合部に係合される第１被係合部と、前記外面部の室外側端部に設けられて前記第２係合部に係合される第２被係合部とを有して形成され、前記外面部には、前記複数のスラットの端部から前記枠材側に延びる回動軸を軸支する複数の軸支部が設けられ、前記スラットの回動軸は、当該スラットの断面長手方向の略中央に設けられていることを特徴とする。
【０００７】
以上の本発明によれば、スラットの断面長手方向の略中央に回動軸を設けたことで、スラットを回動操作する際に回動軸や伝達部に作用する力を小さくすることができるとともに、全開状態や全閉状態においても偏心モーメントが作用しないか、作用したとしても偏心モーメントを小さくすることができる。従って、回動軸や伝達部の部材寸法の拡大を防止でき、ルーバー装置の小型化や薄型化を図ることができる。
また、スラットの断面長手方向の略中央に回動軸を設けたことで、全開状態におけるスラットの見込み方向への突出量を最小限に抑えることができる。従って、本発明のルーバー装置を通風雨戸に用いた場合において、戸袋の構造を変更しなくても、あるいは若干変更するだけで、スラットを全開状態としたままで雨戸を開ける（戸袋に収納する）ことができるようになり、利便性が向上できかつスラット等の部品の破損も防止することができる。
さらに、枠材の見付け方向内側に取り付けられるアタッチメントの軸支部にスラットの回動軸を軸支させたことで、枠材に直接スラットを支持させる構造と比較して、枠材に対する伝達部の組み込みや、スラットの取り付けが容易にできるようになり、組立性を向上させることができる。この際、枠材に設けた２箇所の係合部に２箇所の被係合部を係合させてアタッチメントを取り付けることで、取付強度を高めることができ、風圧力等によるスラットの変形を抑制させることができる。
【０００８】
この際、本発明のルーバー装置では、前記回動軸には、前記軸支部に軸支される位置よりも先端側がクランク状に折れ曲がって前記枠材の見込み面に向かって延びる偏心部が設けられ、前記伝達部は、前記アタッチメントに沿って前記枠材の長手方向に移動自在に設けられた連動部材を有して構成され、この連動部材には、見込み方向に長く形成されて前記回動軸の偏心部を係止する複数の係止長孔が設けられ、前記操作力を受けて前記連動部材が前記枠材の長手方向に沿って移動することで、前記係止長孔に係止された前記偏心部が前記枠材の長手方向かつ見込み方向に揺動し、前記軸支部位置の回動軸を中心に前記複数のスラットが連動して回動することが好ましい。
このような構成によれば、アタッチメントと枠材とで囲まれた内部に連動部材が設けられることとなるため、連動部材自体や、連動部材と回動軸の偏心部との係止部分等への雨がかりや埃の付着等が防止でき、スラットの回動操作を円滑に実施することができるとともに、メンテナンスの手間を軽減させることができる。
【０００９】
また、本発明のルーバー装置では、前記スラットは、中空かつ略楕円形の断面形状を有して形成され、全開状態で室外側に位置する断面一方の端部には、当該スラットの長手方向に連続する気密材が設けられ、この気密材は、全閉状態で下側に位置する他のスラットの断面他方の端部に当接可能に構成されていることが好ましい。
このような構成によれば、全閉状態において隣接するスラット同士が気密材を介して接続されることで、水密性能を確保することができ、本発明のルーバー装置を通風雨戸として用いた場合に、室内側への雨等の浸入を防止することができる。
【００１０】
さらに、本発明のルーバー装置では、全開状態において前記スラットの室外側端部は、前記枠材の室外側見付け面と略同一見込み位置か、または当該室外側見付け面よりも室内側に位置するとともに、当該スラットの室内側端部は、前記枠材の室内側見付け面と略同一見込み位置か、または当該室内側見付け面よりも室外側に位置することが好ましい。
このような構成によれば、全開状態においてスラットの室内外の端部が枠材の見込み寸法内に収まることで、前述のように全開状態のままで雨戸を開けることができる。
【００１１】
一方、本発明の建具は、前記いずれかのルーバー装置を組み込んだ面状体と、この面状体を左右スライド自在に支持する枠体とを備えた建具であって、前記面状体は、上框、下框および左右の縦框を四周框組みして形成され、前記左右の縦框間に前記複数のスラットが回動自在に支持されるとともに、これらのスラットと上下に隣接して横材が架設され、この横材の室内側側面に前記スラットを回動操作するための操作部が設けられていることを特徴とする。
【００１２】
以上の建具によれば、前述と同様に、ルーバー装置の回動軸や伝達部の部材寸法を小型化できることから、面状体を薄型化することができるとともに、面状体の組立性を向上させることができる。さらに、横材に操作部が設けられていることで、スラットの開閉操作を容易にすることができ、利便性を向上させることができる。すなわち、左右いずかの縦框に操作部を設けた場合には、操作位置が限定されてしまうのに対して、横材に操作部を設ければ、面状体に対して正面から操作することができ、操作性を向上させることができる。この際、横材としては、縦框の上端部や下端部同士を連結するように設けられていてもよく、また縦框の中間部同士を連結するように設けられていてもよい。そして、縦框の中間部同士を連結する横材の場合には、その上側および下側の両方にスラットが設けられていてもよく、また上側および下側のいずれか一方にスラットが設けられていてもよい。さらに、横材の上下両方にスラットを設けた場合には、１つの操作部で上下のスラットを開閉操作できるように構成してもよく、また上下のスラットを独立して操作するための２つの操作部を設けてもよい。
【００１３】
この際、本発明の建具では、前記面状体は、雨戸であり、前記枠体には、前記面状体よりも室内側に障子が支持されるとともに、前記面状体を収納する戸袋が設けられていることが好ましい。
このような構成によれば、前述のように雨戸が薄型化され、かつスラットを全開状態にしたままで雨戸が開放可能にできるとともに、その場合でも戸袋を通常の雨戸におけるものと同様の構造にできる。また、雨戸の横材に操作部が設けられていることで、その室内側の障子を全開しなくてもスラットを開閉操作することができ、利便性の向上を図ることができる。
【発明を実施するための最良の形態】
【００１４】
以下、本発明の実施形態を図面に基づいて説明する。
図１および図２は、それぞれ本発明の実施形態に係る建具である引違い窓１を示す縦断面図および横断面図である。図３は、引違い窓１に設けられる雨戸を示す内観姿図である。
図１〜図３において、引違い窓１は、上枠２、下枠３および左右の縦枠４，５を枠組みした枠体としての窓枠６と、一方の縦枠４の外側に設けられた戸袋７と、窓枠６の内部に左右開閉自在に支持された室内外一対の障子８，９と、室外側の障子９よりも室外側にて開閉自在に支持された２枚の雨戸（面状体）１０とを有して構成されている。雨戸１０は、アルミ形材製の上框１１、下框１２および左右の縦框１３を四周框組みして形成されるとともに、左右の縦框１３間に横材である中桟１４が架設されて全体日字形に形成された枠と、中桟１４の上下に隣接して左右の縦框１３間に回動自在に支持された複数のスラット１５とを有して構成されている。すなわち、雨戸１０は、開閉可能な複数のスラット１５を有するルーバー装置が組み込まれた通風雨戸である。これらの雨戸１０は、上枠２および下枠３に案内されて左右にスライド可能、かつ戸袋７内に重ねて収納可能に構成されている。また、下框１２には、下枠３と係合可能な錠装置１２Ａが設けられ、雨戸１０を閉じた状態で施錠できるようになっている。
【００１５】
以下、雨戸１０の構造について、図４〜図９も参照して詳しく説明する。
図４は、雨戸１０の一部を拡大して示す縦断面図である。図５は、雨戸１０の縦框１３を拡大して示す横断面図である。図６は、縦框１３を示す縦断面図であり、図５に矢視VI線で示す断面図である。図７は、縦框１３におけるスラット１５の開閉機構を示す図である。
【００１６】
図４〜図７に示すように、複数のスラット１５は、左右の縦框１３間に渡って支持され、各スラット１５が上下方向に並んで配置されている。そして、各スラット１５は、アルミ形材製であり、中空かつ略楕円形の断面形状を有して形成され、全開状態で室外側に位置しかつ全閉状態で下側に位置する断面一方の端部には、スラット１５の長手方向に連続する気密材１５Ａが設けられている。この気密材１５Ａは、全閉状態で下側に位置する他のスラット１５の断面他方の端部（上端部）室外面に当接するように構成されている。また、図６に示すように、スラット１５の室外側端部は、全開状態において縦框１３の室外側見付け面部１３３（後述）と略同一見込み位置であって、室外側見付け面部１３３よりも突出しないようになっており、スラット１５の室内側端部は、縦框１３の室内側見付け面部１３２よりも室外側に位置するようになっている。
【００１７】
また、各スラット１５の長手方向両端部には、端部部材１６が固定され、この端部部材１６に設けられた回動軸１６２回りに回動可能にスラット１５は支持されている。
端部部材１６は、スラット１５の中空部に挿入されてスラット１５と固定される固定部１６１と、スラット１５の長手方向外方に突出する回動軸１６２と、この回動軸１６２の先端側からクランク状に折れ曲がって延びる偏心部１６３とを有して構成されている。回動軸１６２は、スラット１５の断面長手方向（全開状態の見込み方向）の略中央に位置するように形成され、偏心部１６３は、回動軸１６２よりも室内側にずれた位置に設けられている。そして、後述するアタッチメント１７の軸支部１７５に回動軸１６２が軸支され、連動部材１８の係止長孔１８３に偏心部１６３が係止されており、連動部材１８が縦框１３の長手方向（上下方向）に進退移動することで、端部部材１６が回動され、複数のスラット１５が連動して回動操作されるようになっている。そして、連動部材１８を進退移動させてスラット１５を開閉操作するための操作部１９は、中桟１４の室内側側面に設けられている。
【００１８】
縦框１３は、アルミ形材製であって、図５に示すように、見込み方向に沿った見込み面部１３１と、この見込み面部１３１の室内側に連続して見付け方向内側に延びる室内側見付け面部１３２と、見込み面部１３１の室外側に連続しかつ室内側見付け面部１３２に対向して見付け方向内側に延びる室外側見付け面部１３３とを有し、見付け方向内方に開口した断面略コ字形に形成されされている。さらに、縦框１３は、見込み面部１３１の内側に形成された一対の第１係合部１３４と、室外側見付け面部１３３の先端に形成された第２係合部１３５とを有し、これら第１および第２の係合部１３４，１３５に係合されて当該縦框１３に取り付けられるアタッチメント１７を備えて構成されている。そして、アタッチメント１７を取り付けることで縦框１３が中空状に形成され、この中空内部に伝達部を構成する連動部材１８が設置されている。
【００１９】
アタッチメント１７は、アルミ形材製であって、室内側および室外側の見付け面部１３２，１３３先端間に渡って見込み方向に延びる外面部１７１と、この外面部１７１から見付け方向外側（縦框１３の内部側）に延びる延出面部１７２と、この延出面部１７２の先端側に設けられて縦框１３の第１係合部１３４に係合される一対の第１被係合部１７３と、外面部１７１の室外側端部に設けられて縦框１３の第２係合部１３５に係合される第２被係合部１７４とを有して形成されている。また、図４に示すように、アタッチメント１７の外面部１７１には、端部部材１６の回動軸１６２を挿通させる切欠きが形成され、この切欠きによって回動軸１６２を軸支する軸支部１７５が構成されている。さらに、アタッチメント１７は、外面部１７１の室内側端部と、第１被係合部１７３よりも室内側に延びた端部とに係合されるカバー材１７６を有し、このカバー材１７６が取り付けられることで中空状に形成されている。そして、連動部材１８は、アタッチメント１７の中空部内に支持され、端部部材１６の回動軸１６２および偏心部１６３は、アタッチメント１７の中空部内に挿入されている。
【００２０】
連動部材１８は、アルミ形材製であって、アタッチメント１７の延出面部１７２に沿った第１面部１８１と、この第１面部１８１から室内側に延びる第２面部１８２とを有して断面略Ｌ字形に形成されている。そして、図６にも示すように、連動部材１８の第２面部１８２には、その室内側端縁に開口し見込み方向に長く形成された複数の係止長孔１８３が形成され、これらの係止長孔１８３に端部部材１６の偏心部１６３が係止されている。また、連動部材１８は、その第１面部１８１がアタッチメント１７の延出面部１７２に上下スライド自在に支持され、縦框１３の長手方向に沿って進退移動可能に構成されている。このような連動部材１８が下降することで、図６に示すようにスラット１５が開放方向に回動され、連動部材１８が上昇することで、図７に示すようにスラット１５が閉鎖方向に回動されるようになっている。
【００２１】
次に、図８および図９に基づいて操作部１９の構造を説明する。
図８および図９は、それぞれ操作部１９の動作を説明する図であり、図８は、スラット１５の全閉状態を示し、図９は、スラット１５の全開状態を示している。
操作部１９は、中桟１４の室内側パネル１４Ａ（図４参照）に固定される室内部材１９１と、中桟１４に形成された上下のヒレ部１４Ｂに固定される操作部本体１９２とを有して構成されている。室内部材１９１は、横長の開口を有して形成され、この開口から操作つまみ１９３を室内側に露出させるようになっている。操作部本体１９２は、操作つまみ１９３と、この操作つまみ１９３を左右スライド可能に支持するベース部材１９４と、このベース部材１９４に支持されて操作つまみ１９３と一体にスライドするスライド板１９５と、このスライド板１９５のスライドに伴って上下に移動する連結部材１９６とを備えて構成されている。そして、連結部材１９６の端部が縦框１３まで延びて形成され、この端部が連動部材１８の第１面部１８１にピン１８１Ａを介して連結されている。
【００２２】
連結部材１９６には、２本のピン１９６Ａが固定され、ベース部材１９４には、上下に長い案内長孔１９４Ａが２箇所に形成され、ピン１９６Ａが案内長孔１９４Ａに挿通されることで、連結部材１９６が上下に案内されるようになっている。また、スライド板１９５には、そのスライド方向に対して傾斜した傾斜長孔１９５Ａが２箇所に形成され、これらの傾斜長孔１９５Ａにも連結部材１９６のピン１９６Ａが挿通されている。このような操作部１９では、操作つまみ１９３を左右にスライド操作することで、スライド板１９５が左右にスライドし、その傾斜長孔１９５Ａにピン１９６Ａが押されるとともに案内長孔１９４Ａに案内され、このピン１９６Ａを介して連結部材１９６が上下に移動するようになっている。この連結部材１９６によって、連動部材１８が上下に移動され、前述したように、スラット１５が開閉される。具体的には、図８に示すように、操作つまみ１９３を左側にスライドさせると、ピン１９６Ａが押し上げられて連結部材１９６が上方に移動し、連動部材１８が上昇することでスラット１５が閉鎖方向に回動される。逆に、図９に示すように、操作つまみ１９３を右側にスライドさせると、ピン１９６Ａが押し下げられて連結部材１９６が下方に移動し、連動部材１８が下降することでスラット１５が開放方向に回動される。
【００２３】
また、傾斜長孔１９５Ａの両端部には、それぞれスライド板１９５のスライド方向に沿った平行規制部が形成されており、スラット１５の全閉位置および全開位置において、ピン１９６Ａが平行規制部に入り込むことで、ピン１９６Ａの上下移動が規制されるようになっている。従って、全閉位置や全開位置にあるスラット１５を回動させる力が作用しても、連結部材１９６のピン１９６Ａの移動が規制されているため、スラット１５が回動しないようになっている。
なお、操作部１９には、操作つまみ１９３やスライド板１９５をスライドの途中位置で位置決めする位置決め手段が設けられていてもよい。この位置決め手段としては、例えば、ベース部材１９４に設けたばねと、このばねに付勢される位置決め部材と、操作つまみ１９３やスライド板１９５に設けられて位置決め部材に係止される溝などで構成可能である。
【００２４】
また、操作部１９は、以上のような構成に限らず、図１０に示すような構成であってもよい。
すなわち、図１０に示す操作部１９では、連結部材１９６がピン１９６Ｂによってベース部材１９４に回動自在に支持されている。そして、図１０(Ａ)に示すように、操作つまみ１９３の操作によりピン１９６Ａが押し下げられると、ピン１９６Ｂを中心に連結部材１９６の端部が上方に回動して連動部材１８が上昇し、図１０(Ｂ)に示すように、ピン１９６Ａが押し上げられると、ピン１９６Ｂを中心に連結部材１９６の端部が下方に回動して連動部材１８が下降するようになっている。
【００２５】
以上のような操作部１９は、図３に示すように、中桟１４の左右２箇所に設けられており、一方（図の左側）の操作部１９が中桟１４よりも上側のスラット１５を開閉操作するためのもので、他方（図の右側）の操作部１９が中桟１４よりも下側のスラット１５を開閉操作するためのものである。すなわち、スラット１５は、中桟１４の上側と下側とで独立して開閉できるように構成されている。
なお、以上では高さ寸法の大きな掃き出し窓用の雨戸１０について説明したが、高さ寸法が比較的小さな腰窓などでは、図１１に示すような雨戸１０Ａを用いてもよい。
すなわち、雨戸１０Ａは、下框１２に沿った位置に横材である中桟１４が架設されており、この中桟１４よりも上側に開閉可能なスラット１５が設けられ、これらのスラット１５を開閉操作するための操作部１９は、中桟１４に１箇所だけ設けられている。
【００２６】
このような本実施形態によれば、以下のような効果がある。
（１）すなわち、全開状態であってもスラット１５が縦框１３の見込み寸法内に収まっているので、スラット１５が全開状態のままで雨戸１０，１０Ａを戸袋７内に収納することができ、収納するたびにスラット１５を全閉状態にする必要がないことから、利便性を向上させることができる。
【００２７】
（２）さらに、スラット１５の断面略中心（重心）位置に回動軸１６２が設けられているので、スラット１５を回動させる際の操作力が小さくなるとともに、端部部材１６やアタッチメント１７、連動部材１８、操作部１９などに作用する応力が小さくできる。従って、各部の部品寸法の拡大を防止することができ、雨戸１０，１０Ａの薄型化を図るとともに、戸袋７の室外側への突出寸法も必要最小限に抑えることができる。
【００２８】
（３）また、縦框１３に取り付けられるアタッチメント１７の軸支部１７５にスラット１５の回動軸１６２が軸支される、つまりアタッチメント１７にスラット１５が支持されるので、縦框１３に直接スラット１５を支持させる構造と比較して、組立性を向上させることができる。さらに、縦框１３に設けた２箇所の係合部１３４，１３５に２箇所の被係合部１７３，１７４を係合させてアタッチメント１７が取り付けられるので、取付強度を高めることができ、風圧力等によるスラット１５の変形が抑制できる。
【００２９】
（４）さらに、アタッチメント１７と縦框１３とで囲まれた中空内部に連動部材１８が設けられているので、連動部材１８や、連動部材１８と偏心部１６３との係止部分等への雨がかりや埃の付着等が防止でき、スラット１５の回動操作を円滑に実施することができるとともに、メンテナンスの手間を軽減させることができる。
【００３０】
（５）また、スラット１５に気密材１５Ａが設けられ、全閉状態において上下のスラット１５同士が気密材１５Ａを介して接続されることで、雨戸１０，１０Ａの水密性能を確保することができ、室内側への雨等の浸入を防止することができる。一方、スラット１５を開放することで、通気が可能となり、防犯性を確保した状態で室内空間に外気を取り込んだり、換気したりできるようになる。
【００３１】
なお、本発明は、前記実施形態に限定されるものではなく、本発明の目的を達成できる他の構成等を含み、以下に示すような変形等も本発明に含まれる。
例えば、前記実施形態では、引違い窓１における雨戸１０，１０Ａにルーバー装置を組み込んだが、本発明のルーバー装置は、雨戸に限らず、適宜な面状体に組み込まれてもよい。すなわち、雨戸のように左右スライド可能な戸の他に、上下スライド可能なブラインドや、移動不能な面格子にルーバー装置を組み込んでもよい。また、建具としては、引違い窓１に限らず、片引き窓や上げ下げ窓、内倒し窓など、任意の開閉形式を有した窓が適用可能である。さらに、窓に限らず、出入り口用の建具に本発明のルーバー装置を組み込んでもよい。
【００３２】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３３】
【図１】本発明の実施形態に係る建具を示す縦断面図である。
【図２】前記建具を示す横断面図である。
【図３】前記建具に設けられる雨戸を示す内観姿図である。
【図４】前記雨戸の一部を拡大して示す縦断面図である。
【図５】前記雨戸の縦框を拡大して示す横断面図である。
【図６】前記縦框を示す縦断面図である。
【図７】前記縦框におけるスラットの開閉機構を示す図である。
【図８】前記雨戸におけるスラットの操作部の動作を説明する図である。
【図９】前記操作部の動作を説明する図である。
【図１０】前記実施形態における操作部の変形例を示す側面図である。
【図１１】前記雨戸の変形例を示す内観姿図である。
【符号の説明】
【００３４】
１…建具である引違い窓、６…枠体である窓枠、７…戸袋、８，９…障子、１０，１０Ａ…面状体である雨戸、１１…上框、１２…下框、１３…一対の枠材である縦框、１４…横材である中桟、１５…スラット、１５Ａ…気密材、１７…アタッチメント、１８…連動部材、１９…操作部、１３１…見込み面部、１３２…室内側見付け面部、１３３…室外側見付け面部、１３４…第１係合部、１３５…第２係合部、１６２…回動軸、１６３…偏心部、１７１…外面部、１７２…延出面部、１７３…第１被係合部、１７４…第２被係合部、１７５…軸支部、１８３…係止長孔。
【図１】
2009035893.tif 000003
【図２】
2009035893.tif 000004
【図３】
2009035893.tif 000005
【図４】
2009035893.tif 000006
【図５】
2009035893.tif 000007
【図６】
2009035893.tif 000008
【図７】
2009035893.tif 000009
【図８】
2009035893.tif 000010
【図９】
2009035893.tif 000011
【図１０】
2009035893.tif 000012
【図１１】
2009035893.tif 000013